(57)【要約】【課題】検査対象物に対する異物混入検査および殺菌処理を簡易，短時間かつ低コストで実施可能なＸ線検査装置を実現する。【解決手段】Ｘ線検査装置１は、商品Ｗを搬送するベルトコンベア１０と、ベルトコンベア１０によって搬送される商品ＷのＸ線画像を撮影する撮影部２０と、撮影部２０によって撮影されたＸ線画像を表示する液晶モニタ３０と、ベルトコンベア１０によって搬送される商品Ｗに紫外線を照射する紫外線ランプ４０と、を有する。【選択図】図２
0003230392.tif 000002
【実用新案登録請求の範囲】
【請求項１】
検査対象物を搬送する搬送部と、
前記搬送部によって搬送される前記検査対象物のＸ線画像を撮影する撮影部と、
前記撮影部によって撮影された前記Ｘ線画像を表示する表示部と、
前記搬送部によって搬送される前記検査対象物に紫外線を照射する紫外線発生部と、を有するＸ線検査装置。
【請求項２】
前記撮影部および前記紫外線発生部が設けられた筐体を有し、
前記撮影部は、前記筐体の内部で前記検査対象物のＸ線画像を撮影し、
前記紫外線発生部は、前記筐体の内部で前記検査対象物に紫外線を照射する、請求項１に記載のＸ線検査装置。
【請求項３】
前記紫外線発生部は、前記筐体の内部に設置された紫外線ランプである、請求項２に記載のＸ線検査装置。
【請求項４】
前記紫外線ランプから放射される紫外線の波長は２５３．７ｎｍである、請求項３に記載のＸ線検査装置。
【請求項５】
前記紫外線ランプの紫外線照度は７０００μＷ／ｃｍ2である、請求項４に記載のＸ線検査装置。
【請求項６】
前記筐体は、前記搬送部によって搬送される前記検査対象物が当該筐体の中に送り込まれる入口と、前記搬送部によって搬送される前記検査対象物が当該筐体の外に送り出される出口と、を備え、
前記搬送部によって搬送される前記検査対象物が前記筐体の中に送り込まれてから前記筐体の外に送り出されるまでに要する時間は、２秒以上かつ３秒以下である、請求項５に記載のＸ線検査装置。
【請求項７】
前記筐体の外にＸ線が漏洩することを防止するとともに、前記入口および前記出口を通して前記紫外線ランプを直視し得ないようにする遮蔽手段を有する、請求項６に記載のＸ線検査装置。
【請求項８】
前記紫外線ランプから放射される紫外線を前記搬送部によって搬送されている前記検査対象物に向かわせる反射板と、前記紫外線ランプを空冷するファンと、の少なくともいずれか一方を有する、請求項３〜７のいずれか一項に記載のＸ線検査装置。
【考案の詳細な説明】
【技術分野】
【０００１】
本考案は、Ｘ線検査装置に関し、特に衣服，鞄，靴などに混入している異物の発見に好適に用いられるＸ線検査装置に関する。
【背景技術】
【０００２】
多くの商品は市場に出荷される前に各種の検査（検品）を受ける。例えば、衣服，鞄，靴などの人が身に付ける商品（以下、「アパレル商品」と総称する。）は、異物混入の有無についての検査（異物混入検査）を受ける。アパレル商品に対して行われる異物混入検査の１つに「検針」がある。検針とは、アパレル商品におけるミシン針，縫い針，マチ針やこれら針の一部の混入の有無を確認する検査である。
【０００３】
アパレル商品の異物混入検査に用いられる検査装置の１つにＸ線検査装置がある。アパレル商品の異物混入検査に用いられるＸ線検査装置は、検査対象物であるアパレル商品をＸ線で撮影した画像（Ｘ線画像）をモニタなどに表示する。検査対象物であるアパレル商品に針やプラスチック片などの異物が混入していると、モニタなどに表示されるＸ線画像中にそれら異物が映し出され、発見される。
【先行技術文献】
【特許文献】
【０００４】
【特許文献１】特開２０１３−０２４６１３号公報
【考案の概要】
【考案が解決しようとする課題】
【０００５】
アパレル商品を含む各種商品にはウィルスや菌が付着している可能性がある。そこで、商品の安全性をより高めるためには、商品に対して異物混入の有無を検査するだけでなく、商品やその包装に付着しているウィルスや菌を死滅させる殺菌処理を実施することが望まれる。特に、人が身に付けるアパレル商品については、殺菌処理の実施が強く望まれる。
【０００６】
しかし、商品に対する異物混入検査および殺菌処理を同時に実施できる装置は存在していない。そのため、異物混入検査と殺菌処理の両方を実施するためには、検査装置と殺菌装置の両方を用意する必要がある。さらに、１つの商品を検査装置と殺菌装置の両方に通す必要がある。総じて、商品に対して異物混入検査および殺菌処理を実施するためには、手間，時間，コストを要する。
【０００７】
本考案の目的は、検査対象物に対する異物混入検査および殺菌処理を簡易，短時間かつ低コストで実施可能なＸ線検査装置を提供することである。
【課題を解決するための手段】
【０００８】
本考案のＸ線検査装置は、検査対象物を搬送する搬送部と、前記搬送部によって搬送される前記検査対象物のＸ線画像を撮影する撮影部と、前記撮影部によって撮影された前記Ｘ線画像を表示する表示部と、前記搬送部によって搬送される前記検査対象物に紫外線を照射する紫外線発生部と、を有する。したがって、本考案のＸ線検査装置は、検査対象物に対する異物混入検査および殺菌処理の両方を実施することができる。
【０００９】
本考案の一態様では、Ｘ線検査装置は、前記撮影部および前記紫外線発生部が設けられた筐体を有する。前記撮影部は、前記筐体の内部で前記検査対象物のＸ線画像を撮影し、前記紫外線発生部は、前記筐体の内部で前記検査対象物に紫外線を照射する。
【００１０】
本考案の他の一態様では、前記紫外線発生部は、前記筐体の内部に設置された紫外線ランプである。
【００１１】
本考案の他の一態様では、前記紫外線ランプから放射される紫外線の波長は２５３．７ｎｍである。
【００１２】
本考案の他の一態様では、前記紫外線ランプの紫外線照度は７０００μＷ／ｃｍ2である。
【００１３】
本考案の他の一態様では、前記筐体は、前記搬送部によって搬送される前記検査対象物が当該筐体の中に送り込まれる入口と、前記搬送部によって搬送される前記検査対象物が当該筐体の外に送り出される出口と、を備える。そして、前記搬送部によって搬送される前記検査対象物が前記筐体の中に送り込まれてから前記筐体の外に送り出されるまでに要する時間は、２秒以上かつ３秒以下である。
【００１４】
本考案の他の一態様では、前記紫外線ランプから放射される紫外線を前記搬送部によって搬送されている前記検査対象物に向かわせる反射板と、前記紫外線ランプを空冷するファンと、の少なくともいずれか一方が設けられる。
【考案の効果】
【００１５】
本発明によれば、検査対象物に対する異物混入検査および殺菌処理を簡易，短時間かつ低コストで実施可能なＸ線検査装置が実現される。
【図面の簡単な説明】
【００１６】
【図１】Ｘ線検査装置の構成を示すブロック図である。
【図２】Ｘ線検査装置の構造を示す概略図である。
【図３】（ａ），（ｂ）は、ランプケースの異なる例を示す端面図である。
【図４】ランプケースに設けられているファンを模式的に示す斜視図である。
【図５】Ｘ線検査装置の構造を示す他の概略図である。
【考案を実施するための形態】
【００１７】
以下、本考案が適用されたＸ線検査装置の実施形態の一例について図面を参照しながら詳細に説明する。尚、実施形態を説明するための各図において、同一又は実質的に同一の機能を有する部材や機構などには同一の符号を用い、その繰り返しの説明は省略する。
【００１８】
図１は、本実施形態に係るＸ線検査装置１の構成を示すブロック図である。図２は、本実施形態に係るＸ線検査装置１の構造を示す概略図である。図１に示されるように、Ｘ線検査装置１は、搬送部１０，撮影部２０，表示部３０，紫外線発生部４０を備えている。Ｘ線検査装置１は、少なくとも搬送部１０，撮影部２０および表示部３０を統括的に制御する制御部５０と、制御部５０に対する入力手段として機能する操作部６０と、をさらに備えている。
【００１９】
図２に示されている搬送部１０はベルトコンベアであり、表示部３０は液晶モニタであり、紫外線発生部４０は紫外線ランプである。そこで、以下の説明では、図２に示されている搬送部１０，表示部３０，紫外線発生部４０を「ベルトコンベア１０」，「液晶モニタ３０」，「紫外線ランプ４０」と呼ぶ。もっとも、かかる称呼は、本考案の搬送部をベルトコンベアに、表示部を液晶モニタに、紫外線発生部を紫外線ランプに限定することを意図するものではない。
【００２０】
Ｘ線検査装置１は、板金によって形成された筐体２を有する。筐体２は、ベルトコンベア１０による検査対象物（商品Ｗ）の搬送方向と直交する方向を長手方向とする箱形の外形を有する。商品Ｗの搬送方向において互いに対向する筐体２の２つの側面には、入口３および出口４が設けられている。入口３および出口４は、筐体２の側面に形成された矩形または略矩形の開口部である。
【００２１】
ベルトコンベア１０は、２つのローラ１１ａ，１１ｂと、それらローラ１１ａ，１１ｂに掛け回された無端のゴムベルト１２と、を備えている。２つのローラ１１ａ，１１ｂのうちの少なくとも一方は、制御部５０（図１）の制御下にある不図示のモータによって回転駆動される駆動用ローラである。駆動用ローラが回転駆動されると、ゴムベルト１２が２つのローラ１１ａ，１１ｂの間を巡り、ゴムベルト１２の上に載せられている商品Ｗが搬送される。
【００２２】
ローラ１１ａは筐体２の入口３の外に配置され、ローラ１１ｂは筐体２の出口４の外に配置されている。この結果、ベルトコンベア１０は、筐体２を横断して筐体２の内外に伸びている。具体的には、ベルトコンベア１０の一端側は、筐体２の入口３から筐体２の外に突出しており、ベルトコンベア１０の他端側は、筐体２の出口４から筐体２の外に突出している。
【００２３】
以下の説明では、筐体２の入口３から筐体２の外に突出しているベルトコンベア１０の一部を「前部」、筐体２の出口４から筐体２の外に突出しているベルトコンベア１０の他の一部を「後部」、前部と後部との間のベルトコンベア１０のさらに他の一部を「中間部」と呼んで区別する場合がある。もっとも、かかる区別は説明の便宜上の区別に過ぎない。
【００２４】
ベルトコンベア１０の前部は、トンネル状の前方カバー５によって覆われており、ベルトコンベア１０の後部は、トンネル状の後方カバー６によって覆われており、ベルトコンベア１０の中間部は、筐体２によって覆われている。
【００２５】
筐体２は、ベルトコンベア１０の前部を覆っている前方カバー５とベルトコンベア１０の後部を覆っている後方カバー６との間に配置されている。前方カバー５は筐体２に接続されており、後方カバー６も筐体２に接続されている。つまり、筐体２，前方カバー５および後方カバー６は、一体化されている。
【００２６】
より具体的には、前方カバー５の一方の端部は、筐体２の入口３の周囲に接続され、入口３を介して筐体２の内部と連通している。後方カバー６の一方の端部は、筐体２の出口４の周囲に接続され、出口４を介して筐体２の内部と連通している。尚、後方カバー６の上に液晶モニタ３０が載せられているが、液晶モニタ３０の設置場所は後方カバー６の上に限られない。
【００２７】
作業者によってベルトコンベア１０の前部に載せられた商品Ｗは、図２の紙面右側から紙面左側に向かって搬送される。この結果、商品Ｗは、前方カバー５，筐体２，後方カバー６の内部をこの順で通過する。別の見方をすれば、商品Ｗは、ベルトコンベア１０の前部，中間部，後部をこの順で移動する。
【００２８】
紫外線ランプ４０は、筐体２の内部であって、かつ、ベルトコンベア１０の上方に設置されている。より特定的には、紫外線ランプ４０は、筐体２の内部であって、かつ、ベルトコンベア１０の中間部の上方に設置されている。
【００２９】
本実施形態では、筐体２の入口３側および出口４側に、紫外線ランプ４０がそれぞれ設置されている。つまり、筐体２の内部に２本の紫外線ランプ４０が設置されている。それぞれの紫外線ランプ４０は、ガラス管やガラス管の両端に設けられた電極および口金などを有し、蛍光灯と類似の外形を有する。ガラス管には微妙の水銀と希ガスが封入されており、ガラス管の両端に設けられている電極に電圧が印加されると、水銀原子が励起され、所定波長の紫外線が放射される。本実施形態の紫外線ランプ４０は、波長が２５３．７ｎｍの紫外線を全方向（３６０°）に放射する。
【００３０】
ベルトコンベア１０によって搬送される商品Ｗは、筐体２の内部を通過している間に紫外線ランプ４０から放射される紫外線を浴びる。言い換えれば、紫外線ランプ４０は、ベルトコンベア１０によって搬送されている商品Ｗに、筐体２の内部で紫外線を照射する。この結果、商品Ｗが除菌または殺菌される。つまり、商品Ｗに付着しているウィルスや菌（例えば、かび菌）の全部または一部が死滅する。
【００３１】
本実施形態の紫外線ランプ４０の紫外線照度は、７０００μＷ／ｃｍ2である。ここで、６．０〜８．０ｍＷ・ｓｅｃ／ｃｍ2の紫外線照射によって、現在知られているウィルスの９９．９％を死滅させることができる。また、１０．２〜２６４．０ｍＷ・ｓｅｃ／ｃｍ2の紫外線照射によって、現在知られているかび菌の９９．９％を死滅させることができる。
【００３２】
紫外線照射量（ｍＷ・ｓｅｃ／ｃｍ2）は、紫外線照度（ｍＷ／ｃｍ2）に照射時間（ｓｅｃ）を乗じた値である。よって、紫外線ランプ４０の紫外線照度が７０００μＷ／ｃｍ2である本実施形態では、商品Ｗに対する紫外線照射時間を２秒以上とすれば、現在知られているウィルスの９９．９％を確実に死滅させることができる（7000μW/cm2×2sec＝14000 μW・sec/cm2＝14mW・sec/cm2）。
【００３３】
そこで、本実施形態では、ベルトコンベア１０によって搬送される商品Ｗが筐体２の中に送り込まれてから筐体２の外に送り出されるまでに要する時間が２秒以上かつ３秒以下に設定されている。より具体的には、入口３から筐体２の中に送り込まれた商品Ｗが出口４から筐体２の外に送る出されるまでに要する時間が２秒以上かつ３秒以下に設定されている。つまり、商品Ｗが２秒以上かつ３秒以下で筐体２を通過するように、ベルトコンベア１０の搬送速度が設定されている。尚、図１に示されている制御部５０は、操作部６０から入力された命令や情報に基づいて、ベルトコンベア１０の搬送速度を制御する。
【００３４】
図２に示されているそれぞれの紫外線ランプ４０は、図３（ａ）や図３（ｂ）に示されるランプケース４１によって保持されている。図３（ａ），（ｂ）に示されているランプケース４１には、紫外線ランプ４０から放射される紫外線を図２に示されているベルトコンベア１０上の商品Ｗに向かわせる反射板（反射面）４２が設けられている。このため、紫外線ランプ４０から放射された紫外線は、商品Ｗに無駄なく（効率良く）照射される。
【００３５】
図３（ａ）に示されているランプケース４１に設けられている反射板（反射面）４２は、紫外線ランプ４０から放射される紫外線を収束（集光）させる。一方、図３（ｂ）に示されているランプケース４１に設けられている反射板（反射面）４２は、紫外線ランプ４０から放射される紫外線を拡散（散乱）させる。図３（ａ）に示されている反射板（反射面）４２は、商品Ｗが比較的小さい場合（紫外線の照射面積が狭い場合）に有効であり、図３（ｂ）に示されている反射板（反射面）４２は、商品Ｗが比較的大きい場合（紫外線の照射面積が広い場合）に有効である。
【００３６】
図４に示されるように、ランプケース４１には、紫外線ランプ４０を空冷するためのファン４３が設けられている。それぞれのファン４３は軸流ファンであり、紫外線ランプ４０に冷却風を供給する。尚、ファン４３は、シロッコファンやその他のファンに置換することもできる。また、紫外線ランプ４０から発せられる熱で温められた空気をファン４３によってランプケース４１の外に排気してもよい。
【００３７】
再び図２を参照する。図示されているランプケース４１は、不図示の固定手段によって筐体２に固定されている。ランプケース４１の固定手段は、特に限定されない。例えば、ランプケース４１は、ボルトやネジによって筐体２の側壁などに固定される。このとき、必要に応じて固定金具や支持金具（例えば、Ｌ字ブラケット）を併用してもよい。また、ワイヤやロッドなどを用いてランプケース４１を筐体２の天井に吊り下げてもよい。
【００３８】
図２に示されている撮影部２０は、ベルトコンベア１０によって搬送されている商品ＷのＸ線画像を筐体２の内部で撮影する。撮影部２０は、Ｘ線画像を撮影するために必要な公知の構成を備えており、公知の方法（原理）によってＸ線画像を撮影する。よって、撮影部２０についての詳しい説明は省略し、概略のみを説明する。
【００３９】
撮影部２０は、商品ＷにＸ線を照射し、商品Ｗを透過したＸ線をＸ線ラインセンサカメラで捉えることにより、商品ＷのＸ線画像（透過Ｘ線像）を撮影する。さらに、撮影部２０は、撮影したＸ線画像をデジタル化し、デジタル画像データを液晶モニタ３０に出力する。画像データが入力された液晶モニタ３０は、入力された画像データに基づいて商品ＷのＸ線画像を表示する。商品Ｗに針などの異物が混入していた場合、液晶モニタ３０に表示されるＸ線画像中に異物が映し出され、発見される。
【００４０】
Ｘ線検査装置１には、筐体２の外にＸ線が漏洩することを防止するとともに、入口３や出口４を通して紫外線ランプ４０を直視し得ないようにする遮蔽手段が設けられている。具体的には、図５に示されるように、前方カバー５および後方カバー６の内部に鉛カーテン７が設けられている。より具体的には、前方カバー５および後方カバー６の天井に複数枚の鉛カーテン７が吊り下げられている。鉛カーテン７は、Ｘ線のみでなく、紫外線も遮蔽する。よって、作業者がＸ線を浴びることはなく、紫外線を直視することもない。尚、図５では、図２に示されている液晶モニタ３０の図示は省略されている。
【００４１】
以上のように、本実施形態に係るＸ線検査装置１は、商品ＷのＸ線画像を撮影する撮影部２０と、撮影部２０によって撮影された商品ＷのＸ線画像を表示する液晶モニタ３０と、商品Ｗに紫外線を照射する紫外線ランプ４０と、を有している。よって、Ｘ線検査装置１は、商品Ｗに対する異物混入検査および殺菌処理の両方を実施することができる。
【００４２】
さらに、撮影部２０および紫外線ランプ４０は、ベルトコンベア１０による商品Ｗの搬送路上に設けられた１つの筐体２の内部に設けられている。したがって、ベルトコンベア１０によって商品Ｗを搬送している間に、当該商品Ｗに対する異物混入検査および殺菌処理の両方を同時に実施することができる。
【００４３】
加えて、紫外線ランプ４０から放射される紫外線により、ベルトコンベア１０のゴムベルト１２の表面（内周面および外周面）や筐体２の内面も殺菌される。よって、ある商品Ｗに付着していたウィルスや菌がベルトコンベア１０などを介して他の商品Ｗに移る虞はない。つまり、商品Ｗ同士の２次感染の虞がない。
【００４４】
本考案は上記実施形態に限定されるものではなく、その要旨を逸脱しない範囲で種々変更可能である。例えば、筐体２やベルトコンベア１０の寸法は、想定される商品Ｗの大きさに応じて適宜変更することができる。また、ベルトコンベア１０は、ローラコンベアや電動コンベアに置換することもできる。
【００４５】
商品Ｗに対する紫外線の照射時間は、ベルトコンベア１０による商品Ｗの搬送速度を変更することによって調節可能である。そして、紫外線の照射時間を長くすれば、より多くのウィルスや菌をより確実に死滅させることができる。もっとも、商品Ｗの搬送速度を低下させて紫外線照射時間を長くすると、商品Ｗの殺菌処理に要する時間が長くなり、処理効率が低下する。そこで、商品Ｗの搬送速度（紫外線照射時間）は、殺菌処理の確実性と効率のバランスを踏まえて設定することが好ましい。
【００４６】
筐体２の内部に設置される紫外線ランプ４０の種類や本数、紫外線ランプ４０から放射される紫外線の波長や照度などは、必要に応じて変更することができる。例えば、紫外線ランプ４０には、ガラス管内に水銀と特殊金属の合金であるアマルガムが封入されたアマルガム紫外線ランプを用いることもできる。また、放射する紫外線の波長が異なる２以上の紫外線ランプ４０を併用することもできる。
【００４７】
撮影部２０は、商品Ｗを異なる２以上の方向から撮影したＸ線画像を出力してもよい。この場合、液晶モニタ３０を増設してもよく、１つの液晶モニタ３０に２以上のＸ線画像を表示（同時表示，切替表示）させてもよい。また、液晶モニタをタッチパネル式としてもよい。この場合、タッチパネル式の液晶モニタ３０を操作部６０として利用することもできる。
【００４８】
本考案に係るＸ線検査装置は、アパレル商品の検査に適しているが、検査対象物はアパレル商品に限られない。また、衣服，鞄，靴はアパレル商品の一例に過ぎない。
【符号の説明】
【００４９】
１    Ｘ線検査装置
２    筐体
３    入口
４    出口
５    前方カバー
６    後方カバー
７    鉛カーテン
１０    搬送部（ベルトコンベア）
１１ａ，１１ｂ    ローラ
１２    ゴムベルト
２０    撮影部
３０    表示部（液晶モニタ）
４０    紫外線発生部（紫外線ランプ）
４１    ランプケース
４３    ファン
５０    制御部
６０    操作部
Ｗ    商品
【図１】
0003230392.tif 000003
【図２】
0003230392.tif 000004
【図３】
0003230392.tif 000005
【図４】
0003230392.tif 000006
【図５】
0003230392.tif 000007